(57)【要約】【課題】筆記・消去適性に優れ、大判シートでもエアー抱き込みがなく綺麗に貼ることができ、折れ皺や巻き癖も生じない、ホワイトボードとして好適に使用可能な粘着シートを提供する。【解決手段】ポリエステルスパンボンド不織布２の表面側にホワイトボードフィルム３を設け、該不織布の裏面側にポリエチレン押出し層５を介して粘着層４を設けて積層一体化してなる粘着シート１ｃであり、粘着層を介してオフィスの壁やパーティションその他任意の箇所に貼り付けることができ、ホワイトボードフィルムの面にマーカーなどにより筆記・消去可能なホワイトボードとして使用することができる。ホワイトボードフィルムとして艶消し表面塗工層を設けたものを用いると、照明光の映り込みが防止されるので、プロジェクター用スクリーンとしての適性にも優れたものとなる。【選択図】図３
2008231215.tif 000002
【特許請求の範囲】
【請求項１】
片面または両面に凹凸が形成された不織布の表面側にホワイトボードフィルムを設け、該不織布の裏面側に粘着層を設けて積層一体化してなる粘着シート。
【請求項２】
前記不織布はスパンボンド法により製造されたものであることを特徴とする、請求項１記載の粘着シート。
【請求項３】
前記粘着層は水素化スチレン・ブタジエン系共重合体からなることを特徴とする、請求項１または２記載の粘着シート。
【請求項４】
前記不織布と前記粘着層の間に合成樹脂層を介在させたことを特徴とする、請求項１ないし３のいずれか記載の粘着シート。
【請求項５】
前記不織布が黒色に染められていることを特徴とする、請求項１ないし４のいずれか記載の粘着シート。
【発明の詳細な説明】
【技術分野】
【０００１】
本発明は、裏面に粘着層を備えた粘着シートに関し、より詳しくは該粘着層を介してオフィスなどの壁やパーティションなどに貼り付けてホワイトボードとして使用可能な粘着シートに関する。
【背景技術】
【０００２】
従来よりオフィスなどにおいてスケジュールなどを任意に書き込むことができるものとしてホワイトボードが利用されている。ホワイトボードとしては古くから脚付きの自立型タイプが用いられているが、近年では、オフィスの壁やパーティションなどに貼り付けて使用するフィルムないしシートタイプのホワイトボードも各種提案され市販されている。このようなシートタイプのホワイトボードは、必要なときに貼り付けて使用することができると共に別の場所に張り替えて使用することも容易であり、且つ、保管にも場所を取らないなどの利点があり、そのニーズが高まってきている。
【０００３】
このようなシートタイプのホワイトボードの一例として、マグネットシートをラミネートして磁力で吸着するようにしたものがあるが、貼り付ける箇所が鉄板などに限られてしまうこと、マグネットシートは重いため大きなサイズになると持ち運びや取り扱いが困難になること、価格的に高価になることなどの不利がある。
【０００４】
そこで、シートの裏面に粘着加工を施して、この粘着層を介して壁やパーティションなどに貼り付けるようにしたものが普及してきている。このような粘着シートタイプのホワイトボードは、たとえば下記特許文献１に開示されている。この特許文献１記載の粘着加工シートは、基材となる紙の一面にポリエステルまたはポリエチレンのフィルムシートを貼着すると共に、他面には粘着樹脂層および剥離紙を順次に積層して構成されており、使用に際しては剥離紙を剥がして露出させた粘着樹脂層を介して任意の場所に貼り付け、フィルムシートをホワイトボードとして使用する。粘着樹脂層は剥離・接着を繰り返して使用可能であるため、別の場所に張り替えることができる。
【特許文献１】特開２００５−０８２７４１号公報
【発明の開示】
【発明が解決しようとする課題】
【０００５】
ところが、特許文献１記載のものを含めて従来の粘着シートタイプのホワイトボードには次のような不利欠点があった。
（１）大判シートになるとエアーを抱き込んでしまって綺麗に貼ることができない。
（２）紙を基材にした場合、紙のあい剥ぎ（層間剥離）が起こりやすく耐久性に欠け、また、巻いて保管しておくと巻き癖がつきやすい。
（３）オフィスの壁はパネルを貼り付けて構成される場合が多く、パネル同士の継ぎ目には段差や凹溝がある。このような壁において隣接するパネルに跨って大判シートを貼り付けようとすると、パネルの継ぎ目部分においてホワイトボードの筆記・消去適性が大幅に損なわれてしまう。
（４）シートを扱うときに折れ皺が入りやすい。
（５）保管や持ち運びなどの際に巻き丸めるときには粘着層に剥離紙（セパレーター）を被着して粘着層を保護しなければならず、面倒であると共に、環境資源の無駄使いとなる。
【０００６】
したがって、本発明が解決しようとする課題は、これら従来技術の不利欠点を解消した新規な粘着シートタイプのホワイトボードを提供することである。
【課題を解決するための手段】
【０００７】
この課題を解決するため、本発明は、片面または両面に凹凸が形成された不織布の表面側にホワイトボードフィルムを設け、該不織布の裏面側に粘着層を設けて積層一体化してなる粘着シートである。
【０００８】
不織布はスパンボンド法により製造されたものを用いることが好ましい。スパンボンド法は、加熱溶融させた合成樹脂をノズルから押し出し、延伸してエンドレスの長繊維とし、これをベルトコンベア上で重ね合わせてウェブとした後、エンボスロールで熱圧着して不織布シートとするものであり、最終製品にはエンボスロールによるエンボス（凹凸）が付与される。
【０００９】
スパンボンド不織布の合成樹脂には、ポリプロピレン、ポリエステル、ポリエチレン、ナイロン（商標名）などを使用することができるが、寸法安定性の点からポリエステルが好ましい。ポリエステルスパンボンド不織布としては、旭化成せんい株式会社製の「エルタス（ELTAS）（登録商標）」やユニチカ株式会社製の「マリックス（MARIX）（登録商標）」などの市販品を使用することができる。
【００１０】
スパンボンド不織布の目付量は、１０ｇ／ｍ２〜１００ｇ／ｍ２、好ましくは１５ｇ／ｍ２〜７０ｇ／ｍ２、より好ましくは２０ｇ／ｍ２〜５０ｇ／ｍ２とする。目付け量がこれより少なくなるとクッション性が得られず、ホワイトボードとしての筆記適性に欠けるとともに、壁などに貼り付けたときのエアー抜け効果が得られない。目付け量がこれより多くなるとごわついた風合いになり、経済的にも無駄である。
【００１１】
ホワイトボードフィルムとしては、ポリプロピレンフィルムやPETフィルムの厚さ２５μmから２００μmのものをそのまま使用することもできるが、フィルムの片面にホワイトボード用マーカーペンでの筆記・消去適性と耐傷性を持った塗工層が設けられているものが好ましい。このようなホワイトボードフィルムとしては、１２５μm厚の乳白色二軸延伸ＰＥＴフィルムをベースフィルムとするダイニック株式会社製のホワイトボード用フィルム「ＷＢＷ−Ｅ１２５（商品名）」を好適に用いることができる。
【００１２】
ホワイトボードフィルムの塗工層の表面を凹凸状に形成して艶消し（マット）タイプとすることにより、蛍光灯などの照明光の映り込みが防止されるので、プロジェクター用スクリーンとしての適性をも兼ね備えたものとすることができる。このようなマットタイプの塗工層が設けられたホワイトボードフィルムとしては、１２５μｍ厚の乳白色二軸延伸ＰＥＴフィルムをベースフィルムとするダイニック株式会社製のホワイトボード機能を備えたスクリーン用フィルム「ＨＣＭ−ＥＷ１２５（商品名）」を好適に用いることができる。
【００１３】
粘着層は剥離・接着を繰り返すことができるものであればその材料を問わないが、好ましくは水素化スチレン・ブタジエン系共重合体を用いる。水素化スチレン・ブタジエン系共重合体による粘着層は、一旦壁などに貼り付けた後に剥がしても糊残りがなく、平滑面であれば材質を問わずにどこにでも貼ることができ、粘着面が汚れても水洗いによって再使用可能となり、また、反対側のフィルム面とブロッキングしないのでセパレーターを用いずに巻いて保管しておくことができ、環境にやさしいなどの特性を有するので、剥離・接着を繰り返して行う本発明の粘着層として好適である。
【００１４】
粘着層は不織布の裏面側に直接設けても良いが、粘着剤が不織布に浸透して粘着層が綺麗に形成されないという問題が生ずる恐れがある。これを防止するため、不織布の裏面側に薄い合成樹脂層を設け、この合成樹脂層を介在させて粘着層を設けることができる。合成樹脂層は、たとえばポリエチレンやポリプレピレンの薄膜層が好適であり、これらの樹脂を熱溶融させてTダイ等のノズルから押出し塗工する。熱溶融した合成樹脂は不織布面上で冷やされ増粘するので、不織布内に浸透することなく薄膜の合成樹脂層が形成される。合成樹脂層は余り薄すぎると粘着層の粘着剤を浸透させる効果が十分に発揮されず、厚すぎると不織布のエンボスによる作用（壁などに貼ったときのエアー抜き）を損なうので、１０〜３０μｍ程度の厚さとすることが好ましい。
【発明の効果】
【００１５】
本発明による粘着シートは、片面または両面に凹凸が形成された不織布の表面側にホワイトボードフィルムを設け、該不織布の裏面側に粘着層を設けて積層一体化してなるものであるから、従来の粘着シートタイプのホワイトボードと同様、貼り付ける箇所を選ばずどこにでも貼り付けることができ、しかも別の場所に張り替えて使用することも容易である。また、マグネットシートなどに比べると軽量であるので取り扱い性に優れ、しかも安価である。
【００１６】
加えて、本発明による粘着シートは片面または両面に凹凸が形成された不織布を基材として用いるので、適度なクッション性を与え、しかも、パネルの継ぎ目などにも追従するので、ホワイトボードとしての筆記・消去適性に優れている。
【００１７】
また、不織布の片面または両面に形成された凹凸は粘着層の粘着面にも影響して、この粘着シートを貼り付けたときに粘着面の凹凸の間からエアー抜けが良好に行われ、大判シートであっても綺麗に貼り付けることができる。
【００１８】
粘着層に水素化スチレン・ブタジエン系共重合体を用いた場合は、長時間パネル等に貼り付けた後に剥がしても、パネル面に糊残りがない、貼る場所を選ばない、粘着面の汚れを水洗いで落として再使用が可能である、などの特性を有するので、剥離・接着を繰り返して行う本発明に特に好適である。
【００１９】
不織布と粘着層との間に１０〜３０μｍの厚さの合成樹脂層を介在させることにより、不織布の凹凸を粘着層の粘着面に影響させて貼り付けの際のエアー抜けを行う作用を維持しつつ、粘着層の密着強度を高めることができる。
【発明を実施するための最良の形態】
【００２０】
図１は本発明の一実施形態による粘着シート１ａを示す積層断面図であり、旭化成せんい株式会社製のポリエステルスパンボンド不織布２（商品名  エルタス  Ｅ０１０２５、目付量２５ｇ／ｍ２）の表面側に、光沢タイプの表面塗工層３ａを有するホワイトボードフィルム３（ダイニック株式会社製  商品名ＷＢＷ−Ｅ１２５、厚さ１３０μｍ）を設け、スパンボンド不織布２の裏面側に水素化スチレン・ブタジエン系共重合体（ＪＳＲ製ダイナロン（登録商標）１３２０Ｐ）による粘着層４をＴダイからの熱溶融押出しにより厚さ２５μｍになるように設けて積層一体化してなる。この粘着シート１ａは、粘着層４を介してオフィスの壁やパーティションその他任意の箇所に貼り付けることができ、ホワイトボードフィルム３の面にマーカーなどにより筆記・消去可能なホワイトボードとして使用することができる。また、粘着層４は剥離・接着を繰り返すことができるので、一旦貼り付けた後に別の場所に張り替えることも自在である。また、セパレーターを用いることなく丸く巻くことができるので、保管や持ち運びにも便利である。
【００２１】
図２は本発明の別の実施形態による粘着シート１ｂを示す積層断面図であり、旭化成せんい株式会社製のポリエステルスパンボンド不織布２（商品名  エルタス  Ｅ０１０２５、目付量２５ｇ／ｍ２）の表面側に、艶消しタイプの表面塗工層３ｂを有するホワイトボード機能を備えたスクリーン用フィルム３（ダイニック株式会社製  商品名ＨＣＭ−ＥＷ１２５、厚さ１３０μｍ）を設け、スパンボンド不織布２の裏面側に水素化スチレン・ブタジエン系共重合体（ＪＳＲ製ダイナロン（登録商標）１３２０Ｐ）による粘着層４をＴダイからの熱溶融押出しにより厚さ２５μｍになるように設けて積層一体化してなる。この粘着シート１ｂは、粘着層４を介してオフィスの壁やパーティションその他任意の箇所に貼り付けることができ、ホワイトボード機能を備えたスクリーン用フィルム３の面にマーカーなどにより筆記・消去可能なホワイトボードとして使用することができる。また、粘着層４は剥離・接着を繰り返すことができるので、一旦貼り付けた後に別の場所に張り替えることも自在である。また、セパレーターを用いることなく丸く巻くことができるので、保管や持ち運びにも便利である。さらに、艶消しタイプの表面塗工層３ｂを有するので、蛍光灯などの照明光の映り込みを防止し、プロジェクター用スクリーンとしての適性をも兼ね備えたものとなる。
【００２２】
図３は本発明のさらに別の実施形態による粘着シート１ｃを示す積層断面図であり、ポリエステルスパンボンド不織布２の裏面側にポリエチレン押出し層５（厚さ１５μｍ）を介在させて粘着層４を設けている。ＰＥ押出し層５はポリエステルスパンボンド不織布２に対する接着性が良好であり、且つ、粘着層４の粘着剤の浸み込みを防ぐので粘着層４の密着強度をも高め、粘着シート１ｃとしての一体的積層構造を長期にわたり保持することができる。この粘着シート１ｃは、ポリエチレン押出し層５を介在させた点を除いて図１の粘着シート１ａと同様の構成を有し、したがってその作用効果も図１の粘着シート１ａについて前記したと同様である。なお、図示しないが、図２の粘着シート１ｂにおいて、図３と同様、ポリエステルスパンボンド不織布２の裏面側にポリエチレン押出し層５（厚さ１５μｍ）を介在させて粘着層４を設けた構成にしたものも、本発明の範囲内の実施形態である。
【００２３】
図４は本発明のさらに別の実施形態による粘着シート１ｄを示す積層断面図であり、ポリエステルスパンボンド不織布２として黒色に染めたものが用いられている。ホワイトボードフィルムにマーカーペンで書かれた文字などをイレーサーで消去すると、擦り取られた消しカスが付着してイレーサーが汚れるため、このイレーサーをホワイトボードフィルムに戻したときに、イレーサーに付着した消しカスが粘着シートの縁面を汚し、見苦しいものになる。図４の実施形態のように不織布２をあらかじめ黒く染めておくと、消しカスが粘着シート１ｄの縁面に付着しても汚れを目立たなくすることができる。また、粘着シート１ｄが貼られる壁面などの模様や段差を隠蔽する効果もある。なお、図４は図１の粘着シート１ａにおける不織布２として黒く染めたものを用いた実施形態であるが、図２，図３の粘着シート１ｂ，１ｃにおける不織布２として黒く染めたものを用いた構成にしたものも、本発明の範囲内の実施形態である。
【図面の簡単な説明】
【００２４】
【図１】本発明の好適な一実施形態による粘着シートを示す積層断面図である。
【図２】本発明の別の実施形態による粘着シートを示す積層断面図である。
【図３】本発明のさらに別の実施形態による粘着シートを示す積層断面図である。
【図４】本発明のさらに別の実施形態による粘着シートを示す積層断面図である。
【符号の説明】
【００２５】
１ａ，１ｂ，１ｃ，１ｄ  粘着シート
２  ポリエステルスパンボンド不織布
３  ホワイトボードフィルム
３ａ  光沢タイプの表面塗工層
３ｂ  艶消しタイプの表面塗工層
４  粘着層
５  ポリエチレン押出し層
【図１】
2008231215.tif 000003
【図２】
2008231215.tif 000004
【図３】
2008231215.tif 000005
【図４】
2008231215.tif 000006